(57)【要約】      （修正有）【課題】少ない操作負担で容易に時計合わせを行え、利便性を向上できる電子機器を提供する。【解決手段】印字ラベル作成装置は、タイマーの計時結果を表示するための表示部５と、表示される計時結果に対する補正指示を操作入力するためのＣｌｏｃｋキーと、補正指示が入力された場合に、複数の修正時刻候補データを生成し、生成された複数の修正時刻候補データを一覧表示するように、表示部５を制御する。表示部５に一覧表示された複数の修正時刻候補データのうち１つの修正時刻候補データの選択を操作入力するための上下左右キーにおける選択結果に応じて、タイマーの計時内容を補正する。【選択図】図５
2015021885.tif 000002
【特許請求の範囲】
【請求項１】
時刻を計時する計時手段と、
前記計時手段の計時結果を表示するための表示手段と、
前記表示手段で表示される前記計時結果に対する補正指示を操作入力するための指示入力手段と、
前記指示入力手段により前記補正指示が入力された場合に、複数の修正時刻候補データ若しくは複数の修正時間幅候補データを生成する第１データ生成手段と、
生成された前記複数の修正時刻候補データ若しくは前記複数の修正時間幅候補データを一覧表示するように、前記表示手段を制御する表示制御手段と、
前記表示手段に一覧表示された前記複数の修正時刻候補データのうち１つの修正時刻候補データ、若しくは、前記表示手段に一覧表示された前記複数の修正時間幅候補データのうち１つの修正時間幅候補データ、の選択を操作入力するための選択入力手段と、
前記選択入力手段における選択結果に応じて、前記計時手段の計時内容を補正する計時補正手段と、
を有することを特徴とする電子機器。
【請求項２】
請求項１記載の電子機器において、
前記表示手段において前記複数の修正時刻候補データ若しくは前記複数の修正時間幅候補データが一覧表示された状態で、前記指示入力手段により再度前記補正指示が入力された場合に、前記選択入力手段による選択結果に対応した、前記複数の修正時刻候補データ若しくは複数の修正時間幅候補データを新たに生成する第２データ生成手段を有し、
前記表示制御手段は、
前記第２データ生成手段により生成された前記複数の修正時刻候補データ若しくは前記複数の修正時間幅候補データを一覧表示するように、前記表示手段を制御する
ことを特徴とする電子機器。
【請求項３】
請求項２記載の電子機器において、
前記第２データ生成手段は、
前記選択入力手段により選択された１つの前記修正時刻候補データを含み、当該候補データを中心とした所定範囲内に分布する前記複数の修正時刻候補データを新たに生成する
ことを特徴とする電子機器。
【請求項４】
請求項１乃至請求項３のいずれか１項記載の電子機器において、
前記表示手段で表示される前記計時結果と、当該計時結果に基づいた前記選択入力手段における前記選択結果と、に基づき、前記計時手段の計時における時刻偏差を算出する偏差算出手段と、
前記偏差算出手段により算出された前記時刻偏差を記憶する記憶手段と、
前記記憶手段により前記時刻偏差が記憶された後、前記指示入力手段により新たに前記補正指示が入力された場合に、前回の前記補正指示の入力時からの経過時間を算出する経過時間算出手段と、
前記経過時間により算出された前記経過時間に応じて、前記記憶手段に記憶された前記時刻偏差を補正する偏差補正手段と、
前記偏差補正手段による補正後の前記時刻偏差に対応した、前記複数の修正時刻候補データ若しくは複数の修正時間幅候補データを新たに生成する第３データ生成手段と、
を有し、
前記表示制御手段は、
前記第３データ生成手段により生成された前記複数の修正時刻候補データ若しくは前記複数の修正時間幅候補データを一覧表示するように、前記表示手段を制御する
ことを特徴とする電子機器。
【請求項５】
請求項４記載の電子機器において、
前記第３データ生成手段は、
計時手段の計時結果に補正後の前記時刻偏差を加えた１つの前記修正時刻候補データを含み、当該候補データを中心とした所定範囲内に分布する前記複数の修正時刻候補データを新たに生成する
ことを特徴とする電子機器。
【請求項６】
請求項１乃至請求項５のいずれか１項記載の電子機器において、
被印字媒体を搬送する搬送手段と、
前記搬送手段により搬送される前記被印字媒体に対し印字を行う印字手段と、
を有し、所望の印字が前記被印字媒体に形成された印刷物を作成可能な印刷装置である
ことを特徴とする電子機器。
【発明の詳細な説明】
【技術分野】
【０００１】
本発明は、計時機能を備えた電子機器に関する。
【背景技術】
【０００２】
計時手段を備えた電子機器が既に知られている（例えば、特許文献１参照）。この従来技術では、例えば長期間の使用により計時手段による計時結果が真の時刻からずれてきた場合には、計時修正（いわゆる時計合わせ）を行うことができる。
【先行技術文献】
【特許文献】
【０００３】
【特許文献１】特開２０００−１６２６９４号公報
【発明の概要】
【発明が解決しようとする課題】
【０００４】
しかしながら、上記従来技術では、時計合わせの際、例えば「年」「月」「日」「時」「分」「秒」等の各項目それぞれをマニュアル操作で設定する必要がある。この結果、操作が面倒で労力負担が大きく、不便であった。
【０００５】
本発明の目的は、少ない操作負担で容易に時計合わせを行うことができ、利便性を向上できる電子機器を提供することにある。
【課題を解決するための手段】
【０００６】
上記目的を達成するために、本願発明は、時刻を計時する計時手段と、前記計時手段の計時結果を表示するための表示手段と、前記表示手段で表示される前記計時結果に対する補正指示を操作入力するための指示入力手段と、前記指示入力手段により前記補正指示が入力された場合に、複数の修正時刻候補データ若しくは複数の修正時間幅候補データを生成する第１データ生成手段と、生成された前記複数の修正時刻候補データ若しくは前記複数の修正時間幅候補データを一覧表示するように、前記表示手段を制御する表示制御手段と、前記表示手段に一覧表示された前記複数の修正時刻候補データのうち１つの修正時刻候補データ、若しくは、前記表示手段に一覧表示された前記複数の修正時間幅候補データのうち１つの修正時間幅候補データ、の選択を操作入力するための選択入力手段と、前記選択入力手段における選択結果に応じて、前記計時手段の計時内容を補正する計時補正手段と、を有することを特徴とする。
【０００７】
本願発明の電子機器は、計時手段と、表示手段とを備えている。計時手段による計時結果（時刻）は、表示手段で表示される。このような電子機器を例えば長期間使用していると、計時手段による計時結果が真の時刻からずれてきて、計時手段の計時修正（いわゆる時計合わせ）が必要になる場合がある。
【０００８】
そのために、本願発明の電子機器では、指示入力手段と選択入力手段とが設けられている。操作者は、上記計時修正を意図する場合には、上記指示入力手段を用いて、計時結果に対する補正指示を操作入力する。
【０００９】
すると、第１データ生成手段により、複数の修正時刻候補データ（例えばその時点での計時結果が１７：５７であった場合に「１８：０５」「１８：０１」「１７：５９」…「１７：４９」等）か、若しくは、複数の修正時間幅候補データ（例えば「１０分マイナス」「５分マイナス」「３分マイナス」…「１０分プラス」等）が生成される。そして、表示制御手段の制御により、それらの候補データが表示手段に一覧表示される。
【００１０】
そして、操作者が、選択入力手段を用いて、上記一覧表示された複数の候補データのうち１つの候補データの選択を操作入力すると、その選択結果に応じて、計時補正手段によって、上記計時手段の計時内容が補正される。
【００１１】
以上のようにして本願発明においては、一覧表示された複数の候補データのうち１つを選択するだけで、計時手段の計時修正を行うことができる。この結果、例えば「年」「月」「日」「時」「分」「秒」等の各項目それぞれをマニュアル操作で設定する必要がある場合に比べ、少ない操作負担で容易に時計合わせを行うことができ、利便性を向上することができる。
【発明の効果】
【００１２】
本発明によれば、少ない操作負担で容易に時計合わせを行うことができ、利便性を向上することができる。
【図面の簡単な説明】
【００１３】
【図１】本発明の一実施形態に係る印字ラベル作成装置の外観を示す斜め上方向からの斜視図である。
【図２】カートリッジの内部構造を模式的に表す拡大平面図である。
【図３】印字ラベル作成装置の制御系を表す概念図である。
【図４】操作部の各機能キーの詳細を含む印字ラベル作成装置の平面図である。
【図５】時計合わせを行うときの操作及び表示の推移を表す説明図である。
【図６】さらに精度良く時計合わせを行うときの操作及び表示の推移を表す説明図である。
【図７】制御回路のＣＰＵが実行する制御手順を表すフローチャートである。
【図８】一覧表示後の再操作で微調整設定して再び表示させる変形例における、時計合わせを行うときの操作及び表示の推移を表す説明図である。
【図９】制御回路のＣＰＵが実行する制御手順を表すフローチャートである。
【図１０】前回履歴からの経過時間に応じた修正時刻候補データを表示する変形例における、時計合わせを行うときの操作及び表示の推移を表す説明図である。
【図１１】制御回路のＣＰＵが実行する制御手順を表すフローチャートである。
【発明を実施するための形態】
【００１４】
以下、本発明の一実施の形態を図面を参照しつつ説明する。
【００１５】
＜印字ラベル作成装置の構成＞
図１に示すように、印字ラベル作成装置１（印刷装置、電子機器に相当）は、外郭を構成する筐体１Ａを備えている。筺体１Ａは、装置下面及び装置側面を構成する樹脂製の下カバー１５と、装置上面を構成する樹脂製の上カバー１７とからなる。上カバー１７は、後部側にカートリッジホルダ９（後述の図２参照）を覆うカートリッジカバー１７ａを備え、カートリッジカバー１７ａは、後端部を支点として開閉可能である。上カバー１７の前部側には、カートリッジカバー１７ａに隣接した例えば矩形開口状の開口部６と、この開口部６を塞ぐように装着された透明パネル７とが設けられ、開口部６の内側には、入力した文字や記号及び計時された時刻（詳細は後述）等を表示するための液晶ディスプレイ等の表示部５（表示手段に相当）が配置されている。開口部６の周囲には操作部２が設けられている。操作部２には、上カバー１７の前方向から後方向に向けて、文字入力等の種々の操作が行われるキーボード３と、電源スイッチや印刷キー等の印字ラベル作成装置１の各種機能を実行させるための機能キー群４とが配置されている。
【００１６】
筺体１Ａの内部には、例えば表示部５の下側に、後述の制御回路２１０（後述の図３参照）等を構成する電子素子（ＩＣチップ等）を実装した図示しないメイン基板と、メイン基板の上記制御回路２１０にコネクタを介して接続された図示しないキー基板とが設けられている。キー基板は、上記キーボード３及び機能キー群４を構成する各キーに対応する位置に設けられた複数のキー用接点を有し、このキー用接点は、操作者がキーボード３及び機能キー群４の各キーを操作した際に閉成され、これにより各キーに割り当てられた機能が実行される。
【００１７】
＜内部構造＞
筺体１Ａのカートリッジカバー１７ａの内側には、図２に示すように、印字済ラベル用テープ１０９を供給するためのカートリッジ８が着脱可能な上記カートリッジホルダ９が設けられている。このカートリッジホルダ９は、上記カートリッジカバー１７ａによって常時閉塞されており、カートリッジカバー１７ａを開放するとカートリッジホルダ９が露出される。カートリッジホルダ９には、カートリッジ８内の使用済みのインクリボン１０５を巻き取るためのリボン巻取りローラ駆動軸１０７と、カートリッジ８内のカバーフィルム１０３（被印字媒体に相当）を搬送するための送りローラ駆動軸１０８（搬送手段に相当）とが設けられている。またカートリッジホルダ９には、カバーフィルム１０３に所望の印刷を行うサーマルヘッド２３（印字手段に相当）が、カートリッジ８の装着時にその開口部に位置するように設けられている。サーマルヘッド２３は、カバーフィルム１０３の搬送方向と直交する方向に配列された複数の発熱素子２３ａ（後述の図３参照）を備えており、印刷駆動回路２０５（後述の図３参照）の制御に基づき、カバーフィルム１０３を搬送方向に印字解像度に分割してなる各印字ライン上に少なくとも各ドットを形成することにより、カバーフィルム１０３への印字を行う。
【００１８】
カートリッジ８は、筐体８Ａと、この筐体８Ａ内に配置され、帯状の基材テープ１０１が巻回された第１ロール１０２（実際は渦巻き状であるが、図では簡略的に同心円状に示す）と、上記基材テープ１０１と略同じ幅である透明な上記カバーフィルム１０３が巻回された第２ロール１０４（実際は渦巻き状であるが、図では簡略的に同心円状に示す）と、上記インクリボン１０５（熱転写リボン、但し被印字テープが感熱テープの場合は不要）が巻回されたリボン供給側ロール１１１と、印字後のインクリボン１０５を巻取るリボン巻取りローラ１０６と、カートリッジ８のテープ排出部の近傍に回転可能に支持された送りローラ２７とを有する。
【００１９】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記カバーフィルム１０３を巻回している。
【００２０】
送りローラ２７は、上記基材テープ１０１と印字形成後の上記カバーフィルム１０３とを押圧して搬送しつつ接着させて上記印字済みラベル用テープ１０９とし、得られる印字済みラベル用テープ１０９を図２中矢印Ａで示す方向に搬送する。なお、リボン巻取りローラ１０６及び送りローラ２７は、ローラ駆動用モータ２０８（図３参照）の駆動力が上記リボン巻取りローラ駆動軸１０７及び送りローラ駆動軸１０８に伝達されることによって、連動して回転駆動される。なお、この回転駆動の際、サーマルヘッド２３に対向配置されるプラテンローラ２６や、送りローラ２７に対向配置される圧着ローラ２８も同様に回転する。
【００２１】
また、印字済ラベル用テープ１０９の搬送経路に沿って送りローラ２７及び圧着ローラ２８の下流側には、カッタキー等の操作により印字済ラベル用テープ１０９を所定の長さに切断するための、カッタ４０が設けられている。
【００２２】
＜印字ラベル作成装置の制御系＞
図３を用いて、印字ラベル作成装置１の制御系を説明する。図３において、印字ラベル作成装置１には、印刷駆動回路２０５と、ローラ駆動回路２０９と、カッタ４０を切断動作させるカッタソレノイド２８０への通電を制御するカッタソレノイド駆動回路３００と、印刷駆動回路２０５、ローラ駆動回路２０９、カッタソレノイド駆動回路３００等を介し、印字ラベル作成装置１全体の動作を制御するための制御回路２１０と、が設けられている。また、制御回路２１０には、時刻を計時するためのタイマー２２０（計時手段に相当）が設けられている。
【００２３】
ローラ駆動回路２０９は、上記送りローラ駆動軸１０８（図２参照）及びリボン巻取りローラ駆動軸１０７（図２参照）を駆動するローラ駆動用モータ２０８を制御する。印刷駆動回路２０５は、上記サーマルヘッド２３の発熱素子２３ａへの通電を行う。
【００２４】
操作部２における、上記キー基板に設けられキーボード３及び機能キー群４の操作に対応して閉成されるキー用接点からの操作信号が、制御回路２１０に入力される。制御回路２１０は、上記操作信号に応じて、印刷駆動回路２０５、ローラ駆動回路２０９、ローラ駆動用モータ２０８、カッタソレノイド駆動回路３００等を制御するとともに、表示制御信号を表示部５へ出力して対応する表示を行わせる（詳細は後述）。
【００２５】
また制御回路２１０は、いわゆるマイクロコンピュータであり、詳細な図示を省略するが、中央演算処理装置であるＣＰＵ（演算手段）、ＲＯＭ、及びＲＡＭ等から構成される。そして制御回路２１０は、ＲＡＭの一時記憶機能を利用しつつＲＯＭに予め記憶されたプログラム（後述の図７、図８、図９、図１１に示すフローチャートに基づき時刻修正の手順を実行するプログラムを含む）に従って所定の処理を行う。なお、制御回路２１０は、電源回路により給電されるとともに、通信回路を介し例えば通信回線に接続され、この通信回線に接続された図示しないルートサーバ、他の端末、汎用コンピュータ、及び情報サーバ等との間で情報のやりとりが可能となっている。
【００２６】
＜印字ラベル作成装置の基本動作＞
上記構成の印字ラベル作成装置１において、カートリッジ８が上記カートリッジホルダ９に装着されると、カバーフィルム１０３及びインクリボン１０５がサーマルヘッド２３とプラテンローラ２６との間に狭持されるとともに、基材テープ１０１及びカバーフィルム１０３が送りローラ２７と圧着ローラ２８との間に狭持される。そして、送りローラ駆動軸１０８の駆動に伴い、リボン巻取りローラ１０６及び送りローラ２７が図２中矢印Ｂ及び矢印Ｃで示す方向にそれぞれ同期して回転駆動される。送りローラ２７の回転により圧着ローラ２８が回転し、第１ロール１０２から基材テープ１０１が繰り出されて送りローラ２７へ供給され、リボン巻取りローラ１０６の回転によりリボン供給ローラ１１１からインクリボン１０５が繰り出される。また、インクリボン１０５の繰り出しによりプラテンローラ２６が回転し、送りローラ２７、圧着ローラ２８及びプラテンローラ２６の回転により第２ロール１４からカバーフィルム１０３が繰り出されて送りローラ２７へ供給される。一方、印刷駆動回路２０５によりサーマルヘッド２３の複数の発熱素子２３ａが通電され、第２ロール１０４から繰り出されたカバーフィルム１０３の裏面に所望の印字Ｒが印刷される。
【００２７】
そして、上記基材テープ１０１と上記印刷が終了したカバーフィルム１０３とが上記送りローラ２７及び圧着ローラ２８により接着されて一体化されることにより印字済みラベル用テープ１０９として形成され、テープ排出部よりカートリッジ８外へと搬出される。カバーフィルム１０３への印字Ｒの形成が終了したインクリボン１０５は、リボン巻取りローラ駆動軸１０７の駆動によりリボン巻取りローラ１０６に巻取られる。
【００２８】
その後、操作者が操作部２の機能キー群４に備えられたカッタキーを押すことにより、カッタキーの操作に基づきカッタ４０が動作して、印字済ラベル用テープ１０９が所定の長さに切断され、所定長の印字ラベル（印刷物に相当。図示せず）が生成される。
【００２９】
＜計時機能及び時刻表示機能＞
前述したように、本実施形態では、タイマー２２０によって時刻の計時が行われる。この計時結果は、図４に示すように、上記表示部５において表示される。図示の例では、タイマー２２０の計時結果に基づき、表示部５において、「２０１２年５月１日１７時５７分」が表示されている。
【００３０】
ここで、例えば印字ラベル作成装置１を長期間使用していると、タイマー２２０による計時結果が真の時刻からずれてきて、タイマー２２０の計時修正（いわゆる時計合わせ）が必要になる場合がある。本実施形態の印字ラベル作成装置１では、この時計合わせの手法として、従来と同様の「ボタンを用いたマニュアル操作による時計合わせ」と、「修正時刻候補を表示して選択操作することによる時計合わせ」の２通りを行うことができる。
【００３１】
＜マニュアル操作による時計合わせ＞
まず、上記マニュアル操作による時計合わせを、図４を用いて説明する。図４に示すように、上記操作部２の機能キー群４には、個々の機能キーとして、ディスプレイキー４ａと、時刻表示設定用のＣｌｏｃｋキー４ｂと、年月表示設定用のＹ／Ｍキー４ｃと、日表示設定用のＤａｙキー４ｄと、時表示設定用のＨｏｕｒキー４ｅと、分表示設定用のＭｉｎキー４ｆと、エスケープキー４ｇと、設定確定用のＯＫキー４ｈと、カーソル位置合わせ用の上下左右キー４ｉと、電源キー（ボタン）４ｊと、が配置されている。
【００３２】
上記構成において、例えば操作者が電源キー４ｊを押して装置電源をＯＮした後、ディスプレイキー４ａを押し、さらにＣｌｏｃｋキー４ｂを押す。これにより、制御回路２１０の上記タイマー２２０によって計時されている時刻が読み出され、図４（ａ）に示すような、当該計時時刻である「２０１２年５月１日１７時５７分」が表示部５に表示される。このような表示状態で、上記マニュアル操作による時計合わせを行いたい場合、上記Ｙ／Ｍキー４ｃを適宜に操作することで「２０１２年５月」を「２０１２年６月」「２０１２年７月」・・と進めたり、あるいは逆に「２０１２年４月」「２０１２年３月」・・と遅らせたりすることができる。同様に、上記Ｄａｙキー４ｄを適宜に操作することで「１日」を「２日」「３日」・・と進めたり、あるいは逆に「３０日」「２９日」・・と遅らせたりすることができる。また同様に、上記Ｈｏｕｒキー４ｅを適宜に操作することで「１７時」を「１８時」「１９時」・・と進めたり、あるいは逆に「１６時」「１５時」・・と遅らせたりすることができる。さらに同様に、上記Ｍｉｎキー４ｆを適宜に操作することにより、「５７分」を「５８分」「５９分」・・と進めたり、あるいは逆に「５６分」「５５分」・・と遅らせたりすることができる。
【００３３】
＜修正時刻候補を表示して選択操作することによる時計合わせ＞
一方、本実施形態では、その最大の特徴として、上記マニュアル操作による時計合わせの手法とは別に、上記表示部５に一覧表示された複数の候補データのうち１つを選択するだけで、タイマー２２０の計時修正を行うこともできる。以下、その詳細を、順を追って説明する。
【００３４】
例えば、前述の例に沿い、図５（ａ）に示すように、表示部５における時刻表示中に、タイマー２２０による計時結果が「２０１２年５月１日１７時５７分」と表示されており、例えば別の正確な時計等により真の時刻が１８時００分であることがわかっている（すなわち３分遅れている）場合を想定する。
【００３５】
この場合において、操作者が時計合わせ（＝時刻表示の補正指示）を意図する場合には、Ｃｌｏｃｋキー４ｂを例えば数秒間だけ長押しする（各請求項記載の指示入力手段に相当）。すると、図５（ｂ）に示すように表示部５の表示が切り替わり、上記表示時刻「１７：５７」を中心に、所定範囲の複数の修正時刻候補データが一覧表示される。すなわち、この例では、中心の「１７：５７」に対して１分進める「１７：５８」、２分進める「１７：５９」、４分進める「１８：０１」、及び、８分進める「１８：０５」の候補データと、中心の「１７：５７」に対して１分遅らせる「１７：５６」、２分遅らせる「１７：５５」、４分遅らせる「１７：５３」、及び、８分遅らせる「１７：４９」の候補データと、の合計８個の修正時刻候補データが±８分の範囲で表示される。その際、この例では、上記表示時刻「１７：５７」にカーソルが合った状態で表示される。なお、この例では、上記修正時刻候補データ相互の離間間隔が、上記中心から表示時刻から離れるほど大きくなっている。すなわち、進める側にも遅れる側にも、１分、２分、４分、８分のように、中心から離れるほど刻み間隔が粗く（大きく）なっている（以下の各図の例でも同様）。
【００３６】
前述したように、真の時刻が１８時００分であることから、操作者は、図５（ｃ）に示すように、上下左右キー４ｉ（各請求項記載の選択入力手段に相当）を操作することにより、１８時００分に最も近い時刻である１つの「１８：０１」の候補データにカーソルを合わせて選択した後、ＯＫキー４ｈを押して確定する。
【００３７】
すると、図５（ｄ）に示すように、表示部５の表示時刻「１７：５７」が表示時刻「１８：０１」に補正される。
【００３８】
＜さらに精度よく時計合わせする場合＞
一方、操作者が、上記図５（ｄ）における表示時刻「１８：０１」から上記真の時刻１８：００へとさらに精度よく合わせたい場合は、図６（ａ）（図５（ｄ）と同一の表示内容を説明のために再掲）に示すように、Ｃｌｏｃｋキー４ｂを例えば数秒間だけ再度長押しする。
【００３９】
すると、図６（ｂ）に示すように表示部５の表示が切り替わり、この時点での上記表示時刻「１８：０１」を中心に、所定範囲内の複数の修正時刻候補データが新たに一覧表示される。すなわち、この例では、中心の「１８：０１」に対して１分進める「１８：０２」、２分進める「１８：０３」、４分進める「１８：０５」、及び、８分進める「１８：０９」の候補データと、中心の「１８：０１」に対して１分遅らせる「１８：００」、２分遅らせる「１７：５９」、４分遅らせる「１７：５７」、及び、８分遅らせる「１７：５３」の候補データと、の合計８個の修正時刻候補データが±８分の範囲で表示される。その際、この例では、上記表示時刻「１８：０１」にカーソルが合った状態で表示される。そして、操作者が、図６（ｃ）に示すように、上下左右キー４ｉの操作によって真の時刻である「１８：００」の候補データにカーソルを合わせて選択し、ＯＫキー４ｈを押して確定する。
【００４０】
すると、図６（ｄ）に示すように、表示部５の表示時刻「１８：０１」が表示時刻「１８：００」にさらに精度よく補正される。
【００４１】
＜表示時刻修正時の制御手順＞
上記の手法を実現するために、制御回路２１０のＣＰＵが実行する処理を、図７により説明する。この処理は、例えば前述のようにしてタイマー２２０から読み出された時刻が表示部５に表示された状態（上記した図５（ａ）参照）において開始される。
【００４２】
図７において、ステップＳ１０では、まず、制御回路２１０のＣＰＵは、前述のようにして操作者によりＣｌｏｃｋキー４ｂが長押しされたか否かを判定する。Ｃｌｏｃｋキー４ｂが長押しされるまでは判定が満たされず（ステップＳ１０：ＮＯ）、ループ待機する。操作者によりＣｌｏｃｋキー４ｂが長押しされた場合は判定が満たされ（ステップＳ１０：ＹＥＳ）、ステップＳ１５に移る。
【００４３】
ステップＳ１５では、制御回路２１０のＣＰＵは、タイマー２２０で読み出された時刻を中心とした前後所定幅内（前述の例では±８分）における、複数個（前述の例では８個）修正時刻候補の一覧を生成する。なお、このステップＳ１５が各請求項記載の第１データ生成手段として機能する。
【００４４】
その後、ステップＳ２０で、制御回路２１０のＣＰＵは、表示部５に制御信号を出力し、上記ステップＳ１５で生成した修正時刻候補の一覧を表示部５に表示させる（前述の図５（ｂ）参照）。なお、このステップＳ２０が各請求項記載の表示制御手段として機能する。
【００４５】
そして、ステップＳ２５で、制御回路２１０のＣＰＵは、ステップＳ２０で表示部５に表示させた修正時刻候補データの一覧から、操作者が上下左右キー４ｉの操作によるカーソル移動によって１つの候補データを選択したか否かを判定する。１つの候補データが選択されなければ判定が満たされず（ステップＳ２５：ＮＯ）、ステップＳ２０に戻って同じ処理が繰り返される。操作者により１つの候補データが選択された場合は判定が満たされ（ステップＳ２５：ＹＥＳ）、ステップＳ３０に移る。
【００４６】
ステップＳ３０では、制御回路２１０のＣＰＵは、タイマー２２０に制御信号を出力し、タイマー２２０の計時時刻が、上記ステップＳ２５で選択された１つの候補データによる時刻となるように、タイマー２２０の計時内容（計時機能）を補正する。その後、このフローを終了する。このステップＳ３０が各請求項記載の計時補正手段として機能する。
【００４７】
＜実施形態の効果＞
以上説明したように、本実施形態においては、計時及び時刻表示機能を備えた印字ラベル作成装置１（電子機器の一例に相当）において、上記Ｃｌｏｃｋキー４ｂを長押しして複数の修正時刻候補データを一覧表示させた後、それら複数の候補データのうち１つを選択するだけでタイマー２２０の計時修正を行うことができる。この結果、例えば「年」「月」「日」「時」「分」「秒」等の各項目それぞれをマニュアル操作で設定する必要がある場合に比べ、少ない操作負担で容易に時計合わせを行うことができ、利便性を向上することができる。
【００４８】
なお、本発明は、上記実施形態に限られるものではなく、その趣旨及び技術的思想を逸脱しない範囲内で種々の変形が可能である。以下、そのような変形例を順を追って説明する。上記実施形態と同等の部分には同一の符号を付し、説明を省略又は簡略化する。
【００４９】
（１）一覧表示後の再操作で微調整設定して再び表示させる場合
上記実施形態においては、図５（ｃ）に示すように、真の時刻「１８：００」に最も近い時刻である（その時点でのカーソル位置の３段上にある）「１８：０１」の修正時刻候補データへと、カーソルが移動された後、ＯＫキー４ｈを押して確定された。本変形例では、当該確定の前の「１８：０１」の修正時刻候補データへカーソルが合った状態において、さらに精度よく時計合わせしたい場合に対応し、操作者は、図８（ａ）に示すように、Ｃｌｏｃｋキー４ｂを例えば数秒間だけ再度長押しする（各請求項記載の指示入力手段に相当）。
【００５０】
すると、図８（ｂ）に示すように、表示部５の表示が切り替わり、上記表示時刻「１８：０１」を中心とする一覧表示に切り替わる（当該中心から所定範囲内の複数の修正時刻候補データが一覧表示される）。すなわち、この例では、中心の「１８：０１」に対して１分進める「１８：０２」、２分進める「１８：０３」、４分進める「１８：０５」、及び、８分進める「１８：０９」の候補データと、中心の「１８：０１」に対して１分遅らせる「１８：００」、２分遅らせる「１７：５９」、４分遅らせる「１７：５７」、及び、８分遅らせる「１７：５３」の候補データと、の合計８個の修正時刻候補データが±８分の範囲で表示される。このうち、図８（ｃ）に示すように、真の時刻「１８：００」に最も近い時刻である１段下にある「１８：００」へ、上下左右キー４ｉの上キーの操作によってカーソルを合わせておき、ＯＫキー４ｈを押して確定する。すると図８（ｄ）に示すように、表示部５の表示が切り替わって、初期候補である表示時刻「１８：０１」が真の表示時刻「１８：００」に高精度となって修正されて表示される。
【００５１】
前述したように、真の時刻が１８時００分であることから、操作者は、図８（ｃ）に示すように、上下左右キー４ｉ（各請求項記載の選択入力手段に相当）を操作することにより、１８時００分に最も近い時刻である「１８：００」の候補データにカーソルを合わせて選択した後、ＯＫキー４ｈを押して確定する。これにより図８（ｄ）に示すように、それまでの表示部５の表示時刻「１７：５７」が表示時刻「１８：００」に正しく補正される。
【００５２】
本変形例において制御回路２１０のＣＰＵが実行する処理を、上記図７に対応する図９により説明する。図９に示すフローチャートでは、図７のステップＳ２０とステップＳ２５の間に新たにステップＳ２１とステップＳ２２を加えた点が異なる。
【００５３】
図９において、ステップＳ１０、ステップＳ１５、ステップＳ２０は上記図７と同様である。すなわち、Ｃｌｏｃｋキー４ｂの長押しにより、ステップＳ１５において（タイマー２２０で読み出された）時刻を中心とした前後所定幅内における複数個修正時刻候補の一覧が生成され、ステップＳ２０において表示部５で表示される。ステップＳ２０が終了すると、新たに設けたステップＳ２１に移る。
【００５４】
ステップＳ２１では、制御回路２１０のＣＰＵは、操作者によりＣｌｏｃｋキー４ｂが再度長押しされたか否かを判定する。操作者によりＣｌｏｃｋキー４ｂが長押しされると、判定が満たされ（ステップＳ２１：ＹＥＳ）、ステップＳ２２へ移行する。Ｃｌｏｃｋキー４ｂが再度長押しされなければ、判定が満たされず（ステップＳ２１：ＮＯ）、前述と同様のステップＳ２５へ移行する。
【００５５】
ステップＳ２２では、制御回路２１０のＣＰＵは、操作者が上下左右キー４ｉを操作して移動させたカーソルの位置を、改めて上記ステップＳ１５における一覧表示時に中心に表示される時刻に設定する。その後、上記ステップＳ１５に戻り、同様の手順を繰り返す。すなわち、戻った後のステップＳ１５では、制御回路２１０のＣＰＵは、上記ステップＳ２２でカーソルを合わせた時刻を中心とした前後所定幅の新たな修正時刻候補データの一覧を生成する。この戻った後に実行されるステップＳ１５が各請求項記載の第２データ生成手段として機能する。
【００５６】
上記以外のステップＳ２５、ステップＳ３０については上記実施形態と同様であり、説明を省略する。
【００５７】
上述したように、本変形例においては、前述の図５（ｂ）のように最初に一覧表示された複数の修正時刻候補データからの選択によっては十分な計時修正ができなかった場合に、操作者が再度Ｃｌｏｃｋキー４ｂで補正指示を入力することで（図８（ａ）参照）、新たに複数の修正時刻候補データが生成され表示部５に表示される（図８（ｂ）参照）。この結果、当該新たに一覧表示された複数の候補データのうち１つの候補データを操作者が選択することで（図８（ｃ）参照）、タイマー２２０の計時修正を十分に確実に行うことができる。
【００５８】
また、本変形例においては特に、前述の図５（ｂ）のように最初に一覧表示された複数の修正時刻候補データの中から、操作者が最初に選択した１つの修正時刻候補データ（上記の例では「１８：０１」の候補データ）を中心とした所定範囲となる、新たな複数の修正時刻候補データが表示される。これにより、上記最初に一覧表示された複数の修正時刻候補データに、操作者が意図する時刻に精度良く一致するデータがなかった（上記の例では「１８：００」の候補データがなかった）場合でも、上記新たな複数の修正時刻候補データにおいて、上記操作者が意図する時刻に近い修正時刻候補データを確実に生成し表示部５で表示することができる。この結果、操作者の意図する上記時刻への十分な計時修正を確実に行うことができる。
【００５９】
（２）前回履歴からの経過時間に応じた修正時刻候補データを表示する場合
本変形例においては、上述のようにして修正時刻候補データが一覧表示されるとき、その表示時の中心となる時刻候補データの生成の際、タイマー２２０の遅れ特性が加味される。
【００６０】
すなわち、上述の例では、タイマー２２の時計合わせを行ったとき、真の時刻「１８：００」に対し、タイマー２２０による計時結果が３分遅れて「１７：５７」と表示されていた。例えばこのような時計合わせが、当該印字ラベル作成装置１の購入時（利用開始時。あるいはそれより以前の時計合わせ時）から１ヶ月経過した場合に、本変形例では、この遅れ特性（１ヶ月間で３分遅れる）ことが、制御回路２１０のＲＡＭに記憶される。
【００６１】
そして、同一の印字ラベル作成装置１である限り、上述したように３分進める時計合わせを行った後、時間が経過するにつれて、当該経過時間に比例した分だけタイマー２２０の計時結果が再び遅れている可能性が高い。例えば上記３分進める時計合わせを行ったときから３ヶ月経過したときには、その時刻のずれ分である３分（時刻偏差に相当）×３ヶ月＝９分（補正後の時刻偏差に相当）が制御回路２１０のＣＰＵによって算出され、これが遅れ予想時間として記憶される。本変形例では、このように前回に時計合わせを行ったときからの経過時間に対応させた形で、言い替えれば、当該タイマー２２０の時刻のずれ特性を学習した形で複数の候補データの表示が行われる。
【００６２】
上記のような本変形例の手法を図１０及び図１１により説明する。
【００６３】
例えば、前述の例に沿い、２０１２年５月１日から３ヶ月が経過したとき、図１０（ａ）に示すように、表示部５における時刻表示中に、タイマー２２０による計時結果が「２０１２年７月３０日１７時５０分」と表示されており、別の正確な時計等により真の時刻が１８時００分であることがわかっている（すなわち１０分遅れている）とする。
【００６４】
この場合において、前述と同様、操作者が時計合わせ（＝時刻表示の補正指示）を意図する場合には、Ｃｌｏｃｋキー４ｂを例えば数秒間だけ長押しする（各請求項記載の指示入力手段に相当）。すると、図１０（ｂ）に示すように表示部５の表示が切り替わり、所定範囲の複数の修正時刻候補データが一覧表示される。但し本変形例では、上述したようにタイマー２２０の時刻のずれ特性が学習されていることから、上記表示時刻「１７：５０」に対し、前述の３分×３ヶ月＝９分が遅れ予想時間として加味された、表示時刻「１７：５９」を中心に、所定範囲の複数の修正時刻候補データが一覧表示される。すなわち、この例では、前述と同様、中心の「１７：５９」に対して１分進める「１８：００」、２分進める「１８：０１」、４分進める「１８：０３」、及び、８分進める「１８：０７」の候補データと、中心の「１７：５９」に対して１分遅らせる「１７：５８」、２分遅らせる「１７：５７」、４分遅らせる「１７：５５」、及び、８分遅らせる「１７：５１」の候補データと、の合計８個の修正時刻候補データが±８分の範囲で表示される。そしてその際、上記表示時刻「１７：５９」にカーソルが合った状態で表示される。
【００６５】
前述したように、真の時刻が１８時００分であることから、操作者は、図１０（ｃ）に示すように、上下左右キー４ｉ（各請求項記載の選択入力手段に相当）を操作することにより、「１８：００」の候補データにカーソルを合わせて選択した後、ＯＫキー４ｈを押して確定する。すると、図１０（ｄ）に示すように、それまでの表示部５の表示時刻「１７：５０」が表示時刻「１８：００」に補正される。
【００６６】
本変形例において制御回路２１０のＣＰＵが実行する処理を、上記図７に対応する図１１により説明する。図１１に示すフローチャートでは、図７のステップＳ１０とステップＳ１５の間に新たにステップＳ１１、ステップＳ１２、ステップＳ１３、ステップＳ１４が加えられ、ステップＳ２５とステップＳ３０との間に新たにステップＳ２６とステップＳ２７が加えられた点が異なる。
【００６７】
すなわち、上記同様のステップＳ１０で操作者によりＣｌｏｃｋキー４ｂが長押しされると、新たに設けたステップＳ１１に移る。
【００６８】
ステップＳ１１では、制御回路２１０のＣＰＵは、前回の時計合わせの実行時から（すなわち後述のステップＳ３０で計時補正を行ったときから）の経過時間（上記の例では３ヶ月）を算出する。すなわち、ＣＰＵは、時計合わせを実行するたびにその実行日時を適宜の箇所に記憶しておき（後述のステップＳ２７参照）、その次の回の時計合わせの指示（Ｃｌｏｃｋキー４ｂの長押し）があったときに、上記経過時間を算出する。このステップＳ１１が各請求項記載の経過時間算出手段として機能する。
【００６９】
その後、ステップＳ１２に移り、制御回路２１０のＣＰＵは、予め適宜の箇所に記憶されていた、前回の時計合わせの実行時における補正前の計時結果（＝補正前の表示部５の表示時刻）と、当該計時結果に基づき操作者が上下左右キー４ｉ及びＯＫキー４ｈにより選択した結果（＝補正後の表示部５の表示時刻）との時刻偏差（後述のステップＳ２７参照。前述の例では１ヶ月で３分遅れ）を読み出す。
【００７０】
そして、ステップＳ１３で、制御回路２１０のＣＰＵは、上記ステップＳ１２で算出された時刻偏差（上記の例では３分／１ヶ月）を、前記ステップＳ１１で算出した経過時間（上記の例では３ヶ月）に応じて補正する。すなわち、上記経過時間が長いとタイマー２２０の時刻のずれが大きくなっていると想定されることから上記補正後の時刻偏差は大きな値となり、上記経過時間が短いと上記時刻のずれは小さいと想定されることから上記補正後の時刻偏差は小さな値となる。前述の例では、経過時間（３ヶ月）に基づき、上記時刻偏差３分×経過時間３ヶ月＝９分、が制御回路２１０のＣＰＵによって算出され、これが遅れ予想時間として例えば上記ＲＡＭ（又は不揮発性の適宜のメモリ）に記憶される。このステップＳ１３が各請求項記載の偏差補正手段として機能する。
【００７１】
その後、ステップＳ１４では、制御回路２１０のＣＰＵは、この時点で表示部５に表示されている表示時刻（上記の例では２０１２年７月３０日１７時５０分）に、上記ステップＳ１３で求めた補正後の時刻偏差（上記の例では９分）を加えた時刻を後述の一覧表示時の中心時刻（この例では１７時５９分）に設定する。
【００７２】
そして、前述と同様、ステップＳ１５とで、制御回路２１０のＣＰＵは、上記ステップＳ１４で設定された中心時刻（この例では１７時５９分）を中心とした前後所定幅内（この例では±８分）における、複数個（この例では８個）修正時刻候補の一覧を生成する。なお、本変形例におけるこのステップＳ１５が各請求項記載の第３データ生成手段として機能する。
【００７３】
その後、前述と同様、ステップＳ２０で、制御回路２１０のＣＰＵは、ステップＳ１５で生成した修正時刻候補データの一覧を表示部５に表示させる（図１０（ｂ）参照）。本変形例におけるこのステップＳ２０が、上記実施形態と同様に各請求項記載の表示制御手段として機能する。
【００７４】
そして、ステップＳ２５では、制御回路２１０のＣＰＵは、前述と同様、ステップＳ２０で表示部５に表示させた修正時刻候補の一覧から、操作者が上下左右キー４ｉの操作によるカーソル移動によって１つの候補データを選択したか否かを判定する。１つの候補データ（上記の例では「１８：００」の修正時刻候補データ）が選択され判定が満たされると（ステップＳ２５：ＹＥＳ）、新たに設けたステップＳ２６に移る。
【００７５】
ステップＳ２６では、制御回路２１０のＣＰＵは、上記ステップＳ２５で選択された時刻（上記の例では「１８：００」）と、今回の時計合わせでの補正前の計時結果である元の表示時刻（上記の例では補正前の表示部５の表示時刻である「１７：５０」）との時刻偏差（この例では１０分）を算出する。このステップＳ２６が各請求項記載の偏差算出手段として機能する。
【００７６】
その後、新たに設けたステップＳ２７で、制御回路２１０のＣＰＵは、ステップＳ２６で算出した上記時刻偏差をＲＡＭ（又は不揮発性の適宜のメモリ）に記憶する。このステップＳ２７が各請求項記載の記憶手段として機能する。
【００７７】
その後、前述と同様のステップＳ３０に移り、制御回路２１０のＣＰＵは、タイマー２２０の計時時刻が、上記ステップＳ２５で選択された１つの候補データによる時刻となるように、タイマー２２０の計時内容（計時機能）を補正する。その後、このフローを終了する。このステップＳ３０が上記実施形態と同様に各請求項記載の計時補正手段として機能する。
【００７８】
以上説明したように、本変形例においては、前回に時計合わせを行ったときからの経過時間に対応させた形で（言い替えれば、タイマー２２０の時刻のずれ特性を学習した形で）複数の修正時刻候補データの表示が行われる（図１０（ｂ）参照）。これにより、操作者の意図する時刻（上記の例では「１８：００」）、言い替えれば真の時刻に近づけやすい修正時刻候補データ（上記の例では「１７：５９」）を高い精度で確実に生成することができる。この結果、さらに利便性を向上することができる。
【００７９】
また、本変形例においては、前述したように、前回補正実行時からの経過時間に応じて補正した後の時刻偏差（上記の例では９分）を、その時点の計時結果（上記の例では「１７：５０」）に加えた修正時刻候補データ（上記の例では「１７：５９」）が求められ、その１つの修正時刻候補データを中心とした所定範囲となる新たな複数の修正時刻候補データが表示される（図１０（ｂ）参照）。これにより、あるタイミングで１度計時修正を行った後、経時により再び時刻のずれが生じた場合に、操作者の意図する時刻、言い替えれば真の時刻に近い修正時刻候補データを確実に生成して表示することができる。この結果、操作者の意図する時刻への計時修正を精度良く確実に行うことができる。
【００８０】
（３）その他
なお、以上においては、上記各図に示したように、操作者に選択してもらうために、ある時刻を中心とした前後所定幅内複数の修正時刻候補データが表示部５に一覧表示された。すなわち図５の例では、表示時刻「１７：５７」を中心に、１分進める「１７：５８」、２分進める「１７：５９」、４分進める「１８：０１」、８分進める「１８：０５」、１分遅らせる「１７：５６」、２分遅らせる「１７：５５」、４分遅らせる「１７：５３」、及び、８分遅らせる「１７：４９」、という修正時刻候補データが±８分の範囲で表示された。しかしながら、このような修正時刻候補データではなく、複数の修正時間幅候補データを生成して表示するようにしてもよい。すなわち、上記の例に沿うと、表示部５において、一覧表示時の中心時刻に対し「１分プラス」「２分プラス」「４分プラス」「８分プラス」「１分マイナス」「２分マイナス」「４分マイナス」「８分マイナス」のような一覧表示を行っても良い。これらの場合も同様の効果を得る。
【００８１】
また、以上においては、印字ラベル作成装置に対し本発明を適用した場合を例にとって説明したが、これに限られない。すなわち、携帯用プリンタや、例えばＡ４、Ａ３、Ｂ４、Ｂ５サイズ等の通常の被印刷用紙に画像を形成したり文字を印刷するプリンタ、等、他の種類の印刷装置に対し、本発明を適用してもよい。この場合も同様の効果を得る。さらに、印刷装置にも限られず、計時機能及び時刻表示機能を内蔵した電子機器であれば、印刷装置以外の機器に対しても本発明は適用でき、この場合も同様の効果を得る。
【００８２】
なお、以上において、図３等の各図中に示す矢印は信号の流れの一例を示すものであり、信号の流れ方向を限定するものではない。
【００８３】
また、図７、図９、図１１等に示すフローチャートは本発明を上記フローに示す手順に限定するものではなく、発明の趣旨及び技術的思想を逸脱しない範囲内で手順の追加・削除又は順番の変更等をしてもよい。
【００８４】
また、以上既に述べた以外にも、上記実施形態や各変形例による手法を適宜組み合わせて利用しても良い。
【００８５】
その他、一々例示はしないが、本発明は、その趣旨を逸脱しない範囲内において、種々の変更が加えられて実施されるものである。
【符号の説明】
【００８６】
１            印字ラベル作成装置（電子機器、印刷装置）
４ｂ          Ｃｌｏｃｋキー（指示入力手段）
４ｉ          上下左右キー（選択入力手段）
４ｈ          ＯＫキー
５            表示部（表示手段）
２３          サーマルヘッド（印字手段）
１０３        カバーフィルム（被印字媒体）
１０８        送りローラ駆動軸（搬送手段）
２２０        タイマー（計時手段）
【図１】
2015021885.tif 000003
【図２】
2015021885.tif 000004
【図３】
2015021885.tif 000005
【図４】
2015021885.tif 000006
【図５】
2015021885.tif 000007
【図６】
2015021885.tif 000008
【図７】
2015021885.tif 000009
【図８】
2015021885.tif 000010
【図９】
2015021885.tif 000011
【図１０】
2015021885.tif 000012
【図１１】
2015021885.tif 000013